(57)【要約】【課題】所定（固定）のフレームレートで受信されるＴＶ信号について、電池の残容量に応じて自動的に最適なフレーム数を選択して受信し、電池寿命を延ばすことが可能なＴＶ機能付き携帯電話装置を提供する。【解決手段】内蔵電池の電池レベルを１乃至複数のしきい値と比較し、電池の残容量に応じて所定（固定）のフレームレートで受信されるＴＶ信号の映像検波部及びＮＴＳＣデコーダ等の画像処理部の動作をオン／オフ制御し、フレームを間引いて電力消費を低減し電池寿命を延ばす。充分な電池レベルでは通常の受信等、高いフレームレートで受信し、電池レベルの低下時には低いフレームレートで受信する。また充電時には高いフレームレートの受信に戻す。【選択図】        図１１
2005223454.tif 000002
【特許請求の範囲】
【請求項１】
所定の受信フレームレートのＴＶ信号を受信するＴＶ受信機を備えるＴＶ機能付き携帯電話装置であって、
画像処理部と、内蔵電池の電池レベルが所定のしきい値より大きい場合に前記受信フレームレートが最大のフレームレートとなるように前記画像処理部を動作させ、又は前記受信フレームレート未満のフレームレートが最大のフレームレートとなるようにフレーム毎に選択的に前記画像処理部を動作させ、前記電池レベルが前記しきい値以下の場合に前記最大のフレームレートより低いフレームレートとなるようにフレーム毎に選択的に前記画像処理部を動作させるフレームレート制御部と、を有することを特徴とするＴＶ機能付き携帯電話装置。
【請求項２】
所定の受信フレームレートのＴＶ信号を受信するＴＶ受信機を備えるＴＶ機能付き携帯電話装置であって、
画像処理部と、内蔵電池の電池レベルに対する順次大きさの異なる複数のしきい値及び前記しきい値の大きさの順に最大のフレームレートから低下する複数のフレームレートを設定し、前記電池レベルと前記複数のしきい値との比較結果に基づき、前記電池レベルの低下に応じて低下するフレームレートとなるようにフレーム毎に選択的に前記画像処理部を動作させるフレームレート制御部と、を有することを特徴とするＴＶ機能付き携帯電話装置。
【請求項３】
前記フレームレート制御部は、前記電池を充電する充電器が接続されている場合は、電池レベルにかかわらず最大のフレームレートで動作させることを特徴とする請求項１又は２記載のＴＶ機能付き携帯電話装置。
【請求項４】
前記画像処理部のフレーム毎の動作は電源供給の制御により行い、電源供給は動作の安定に要する期間だけフレームの前縁より前から開始することを特徴とする請求項１、２又は３記載のＴＶ機能付き携帯電話装置。
【請求項５】
前記フレームレート制御部は、電池の電池レベルを検出する電池レベル検出部と、電池レベル検出部で検出した電池レベルと前記しきい値と比較する比較部と、比較部の比較結果によりフレーム毎に前記画像処理部としての映像検波部及びＮＴＳＣデコーダの動作をオン／オフ制御する動作制御部と、を有することを特徴とする請求項１乃至４の何れかの請求項記載のＴＶ機能付き携帯電話装置。
【請求項６】
フレームレートの可変制御の有効又は無効をユーザー設定により設定可能であることを特徴とする請求項１乃至５の何れかの請求項記載のＴＶ機能付き携帯電話装置。
【請求項７】
デジタルＴＶ信号の受信機能を有することを特徴とする請求項１乃至６の何れかの請求項記載のＴＶ機能付き携帯電話装置。
【発明の詳細な説明】
【技術分野】
【０００１】
本発明は、ＴＶ受信機能を有する携帯電話装置に関し、特に、低消費電力化を可能とするＴＶ機能付き携帯電話装置に関する。
【背景技術】
【０００２】
近年の携帯電話機の発達はめざましく、ＴＶ受信機能など多種の付加機能が搭載されてきており、電源に電池を使用する多機能の携帯電話機にとって低消費電力化は必須事項となっている。
【０００３】
従来、かかる携帯電話機の低消費電力化の技術として、ＴＶ電話機能に関しＴＶカメラによる動画像の撮影動作におけるフレームレートを外部操作又はバッテリの残存容量に応じて調節することが知られている（特許文献１〜４参照）。
【０００４】
また、所定フレームレートのＴＶ信号を復調する際、ＴＶ画像を復調出力する画面（フレーム）数を変更する方式が提案されている（特願２００３−２９７８２６）。この発明は映像検波部及びＮＴＳＣデコーダを間欠動作させることによって、単位時間当たりのフレーム数を削減し低消費電力化を行う手法に関するものである。  
【特許文献１】特開平８−９３４７号公報
【特許文献２】特開平１０−２４８０６３号公報
【特許文献３】特開２００１−１０３５６５号公報
【特許文献４】特開２００３−１８９００７号公報
【発明の開示】
【発明が解決しようとする課題】
【０００５】
従来のＴＶ画像通信の低消費電力化の技術は、ＴＶ電話装置に関するものであり、ＴＶカメラによる動画撮影時のフレームレートを低下させることにより、送受信共通にフレームレートを変えて消費電力を削減するものである。
【０００６】
また本出願人は、先に映像信号を復調する際、ＴＶ画像を復調出力する画面（フレーム）数を変更する方式を提案しているが、この方式では単位時間当たりのフレーム数を単に設定するものであった（特願２００３−２９７８２６）。
（目的）
本発明の目的は、所定のフレームレートで受信されるＴＶ信号について、電池の残容量に応じて自動的に最適なフレーム数を選択して受信することが可能なＴＶ信号受信方法及びＴＶ機能付き携帯電話装置を提供するものである。
【０００７】
本発明の他の目的は、所定のフレームレートで受信されるＴＶ信号について、電池の残容量が低下した際に自動的に遅いフレームレートにより検波し、電池寿命を延ばすことを可能としたＴＶ受信方法及びＴＶ機能付き携帯電話装置を提供することにある。
【０００８】
本発明の他の目的は、電池の消耗の程度により好適な制御タイミングで受信するフレーム数を制御可能なＴＶ受信方法及びＴＶ機能付き携帯電話装置を提供することにある。  
【課題を解決するための手段】
【０００９】
本発明は電池レベルが十分大きい場合は、通常のＴＶ視聴又は高いフレームレートでのＴＶ視聴を行うことができ、電池レベルが低下した際に、フレームレートを下げることにより電池寿命を延ばすことを特徴とし、電池レベルのしきい値を複数設け、それぞれフレームレートを設定でき、突然フレームレートが遅くなることを回避することを特徴とする。また、充電器が取り付けられている場合は、消費電力を考慮する必要がないため、電池レベルが低下していても通常のフレームレートでＴＶ視聴を行うことを可能とすることを特徴とする。  
本発明のＴＶ機能付き携帯電話装置は、所定の受信フレームレートのＴＶ信号を受信するＴＶ受信機を備えるＴＶ機能付き携帯電話装置であって、画像処理部と、内蔵電池の電池レベルが所定のしきい値より大きい場合に前記受信フレームレートが最大のフレームレートとなるように前記画像処理部を動作させ、又は前記受信フレームレート未満のフレームレートが最大のフレームレートとなるようにフレーム毎に選択的に前記画像処理部を動作させ、前記電池レベルが前記しきい値以下の場合に前記最大のフレームレートより低いフレームレートとなるようにフレーム毎に選択的に前記画像処理部を動作させるフレームレート制御部と、を有し、又は、画像処理部と、内蔵電池の電池レベルに対する順次大きさの異なる複数のしきい値及び前記しきい値の大きさの順に最大のフレームレートから低下する複数のフレームレートを設定し、前記電池レベルと前記複数のしきい値との比較結果に基づき、前記電池レベルの低下に応じて低下するフレームレートとなるようにフレーム毎に選択的に前記画像処理部を動作させるフレームレート制御部と、を有する。
【００１０】
また、前記フレームレート制御部は、前記電池を充電する充電器が接続されている場合は、電池レベルにかかわらず最大のフレームレートで動作させることを特徴とし、更に、前記画像処理部のフレーム毎の動作は電源供給の制御により行い、電源供給は動作の安定に要する期間だけフレームの前縁より前から開始することを特徴とする。
【００１１】
また、前記フレームレート制御部は、電池の電池レベルを検出する電池レベル検出部と、電池レベル検出部で検出した電池レベルと前記しきい値と比較する比較部と、比較部の比較結果によりフレーム毎に前記画像処理部としての映像検波部及びＮＴＳＣデコーダの動作をオン／オフ制御する動作制御部と、を有することを特徴とする。
【００１２】
また、本発明は、所定の受信フレームレートのＴＶ信号を受信するＴＶ機能付き携帯電話装置のＴＶ受信方法であって、ＴＶ信号の少なくともベースバンド信号の処理を電池レベルの低下時に受信フレームを間引くことにより前記受信フレームレートより低いフレームレートの処理に切り替えることにより、電池の使用可能時間を延ばすものであり、映像検波部及びＮＴＳＣデコーダに供給する電源をＴＶ信号のフレーム毎に選択的にオン／オフ制御することを特徴とする。
【発明の効果】
【００１３】
本発明によれば、映像検波部、ＮＴＳＣデコーダ等の画像処理部の動作期間を制御するように構成しているから、所定の受信フレームレートのＴＶ信号の受信において、電池レベルが十分大きい場合は、通常のＴＶ視聴又は高いフレームレートでのＴＶ視聴を行うことができ、電池レベルが低下した際に、フレームレートを下げることにより電池寿命を延ばすことができる。また、最大のフレームレートでの受信を前記所定の受信フレームレート未満のフレームレートに設定することにより、一層の電池寿命を延長することを可能とする。
【００１４】
本発明によれば、電池レベルに対するしきい値を複数設け、それぞれのフレームレートを設定できるようにすることで、突然フレームレートが遅くなることを回避することが可能である。  
また、電池レベルが低下していても充電器に接続され充電中の場合は、自動的に通常のＴＶ視聴を行うことが可能である。
【発明を実施するための最良の形態】
【００１５】
（実施の形態１）
（構成の説明）
図１は本発明のＴＶ機能付き携帯電話装置の第１の実施の形態の構成を示す図である。  
ＴＶ電波及び携帯電話機（以下、「ＰＤＣ」という。）の電波をキャッチするアンテナ１、ＴＶ電波とＰＤＣの電波とを分波するダイプレクサ２、ＰＤＣの送信・受信を切り替えるアンテナスイッチ３、ＰＤＣの受信部４、ＰＤＣの送信部５、ＴＶの受信部６、ＴＶの音声検波部７、ＴＶの映像検波部８、アナログ信号をデジタル信号に変換しＬＣＤに表示可能に信号変換するＮＴＳＣデコーダ９、ＰＤＣ及びＴＶ受信機のコントロールと本発明のフレームレートを制御するための各種信号を処理する制御部１０、ＴＶ画面やＰＤＣの表示を行うＬＣＤパネル１１、ＴＶ音声やＰＤＣ音声を鳴らすスピーカー１２、プログラムやユーザデータなど格納しているメモリ１３、ＴＶ機能付き携帯電話装置の各部に電源を供給する電池１４、充電器１５及びユーザが操作するキー操作部１６を備える。
【００１６】
制御部１０は同図の点線で示すように、ＰＤＣアンテナスイッチ３、ＰＤＣ受信部４、ＰＤＣ送信部５、ＴＶ受信部６、音声検波部７、映像検波部８、ＮＴＳＣデコーダ９の動作を制御し、ＰＤＣの通話及びＴＶの送受信を制御する。更に制御部１０は、電池１４の電圧値又は残容量（「電池レベル」という。）を監視（検出）するとともに、充電器１５の接続の有無、つまり充電状態か否か等を監視し、これらの状況により、ＴＶの映像検波部及び８ＮＴＳＣデコーダ９の電源又は動作を制御する。
【００１７】
通常のＴＶ放送の画像は１秒間に約６０枚の画面（フレーム（ｆｒａｍｅ））が伝送されており（フレームレート６０ｆｐｓ(frame per second)）、ＴＶ受信機の１ｆｒａｍｅ当たりの受信時間は１ｓｅｃ／６０＝１６．７ｍｓｅｃである。一方、音声はラジオ（ｒａｄｉｏ）放送と同様にリアルタイムで途切れなく受信される。通常のＴＶ受信機ではＴＶ受信部６は全てのｆｒａｍｅが受信され、全てのｆｒａｍｅが映像検波部８で検波され、ＮＴＳＣデコーダ９でデコードされて表示画面に画像として映し出される。
【００１８】
本実施の形態１では、映像検波部８とＮＴＳＣデコーダ９は、受信されるＴＶ信号の本来のフレームレートで全てのフレームの画像が表示画面に映し出される通常の受信動作（以下、「通常モード」という。）と、通常モードより低いフレームレートで選択的にフレームの画像が表示画面に映し出される受信動作（以下、「低電力モード」という。）とが電池レベルに応じて自動的に切り替わるものであり、この制御は制御部１０内のフレームレート制御部１００において行われる。
【００１９】
図２は、本実施の形態の主にフレームレート制御部１００の機能ブロックを示す図である。フレームレート制御部１００は、電池レベル検出部１０１、読出部１０２、しきい値設定部１０３、比較部１０４、安定化電源部１０５及び動作制御部１０６とから構成されている。
【００２０】
電池レベル検出部１０１は、電池１４の電池レベル（残容量又は電池電圧）を検出して出力し、読出部１０２はメモリ１３等に記録された電池レベルに対するしきい値（比較基準電圧）の情報を読み出し、しきい値設定部１０３に出力する。しきい値設定部１０３は前記しきい値を比較部１０４に出力する。比較部１０４は前記しきい値と前記電池レベルとの比較を行い、比較結果を動作制御部１０６に出力する。
【００２１】
動作制御部１０６はＮＴＳＣデコーダ９又はＴＶ受信部６からフレームのタイミング信号を入力するとともに、比較部１０４からの比較結果を入力し、比較部１０４から電池レベルがしきい値より低下したことの検出信号を入力すると、安定化電源部１０５から映像検波部８及びＮＴＳＣデコーダ９に供給する電源電圧（電流）をフレームのタイミングに同期して断続する等により、映像検波部８及びＮＴＳＣデコーダ９を間欠的にＯＮ／ＯＦＦ動作させる。
【００２２】
以上のような動作制御部１０６の制御により、比較部１０４からの電池レベルの低下の検出出力により、映像検波部８及びＮＴＳＣデコーダ９への電源電圧の供給を連続的に供給する動作から間欠的にＯＮ／ＯＦＦ供給し、更にＯＮ／ＯＦＦ供給の制御を電池レベルに応じて切り替えることにより、電池レベルに応じたフレームレートにより表示し電力消費の抑制を可能にする。
【００２３】
（動作の説明）
ＴＶ視聴時における比較部１０４及び動作制御部１０６による自動的なフレームレートの可変制御について以下説明する。
【００２４】
図３は、本実施の形態１の間欠動作又は連続動作の処理例をフローチャートで示す図である。本例ではしきい値設定部１０３からしきい値Ｖａが出力され、比較部１０４では電池レベル検出部１０１からの電池レベルとしきい値Ｖａとを比較し、動作制御部１０６は比較部１０４の比較結果によりｆｓとｆｓ／ｎ（ｎ＞０の任意の値）の何れかのフレームレートに切り替える例を示している。処理Ａ１において電池レベルがしきい値Ｖａより大きければ処理Ａ２へ移行し、フレームレートをｆｓとする。処理Ａ１において電池レベルがしきい値Ｖａ以下の場合、処理Ａ３においてフレームレートをｆｓ／ｎ（ｎ＞０の任意の値）とし、フレームレートを下げる動作を行う。この際のｆｓは任意の値が設定できるが、ＴＶ視聴に支障をきたさない程度（１５ｆｐｓ以上）とする。
【００２５】
例えば、ｆｓ＝６０ｆｐｓ、ｎ＝２と設定することにより、動作制御部１０６は、電池レベルがＶａより大きい場合は連続して全ての画像を受信処理し、電池レベルがＶａ以下の場合は１つおきにフレームを受信処理するように映像検波部８とＮＴＳＣデコーダ９の電源を制御する。
【００２６】
以上の動作において、ｎ＝∞の場合は表示を行わないか又は表示更新を行わない場合であり音声のみ聴取することとなるから低消費電力の効果が最も大きい。ＬＣＤへの表示を行わない場合は、表示関連デバイスであるＬＣＤ１１及びＬＣＤ１１を制御する制御部１０内の表示制御部の電源をもＯＦＦにすることにより、電力消費の更なる抑制が期待できる。
【００２７】
図４及び図５は、本実施の形態１のｎ＝２の場合の映像検波部８、ＮＴＳＣデコーダ９の連続及び間欠動作のタイムチャートを示す図である。図４に示すタイムチャートは、電源ＯＮ後において電池レベルがＶａより大きい場合であり、動作制御部１０６は、映像検波部８及びＮＴＳＣデコーダ９に対し連続的に電源を供給し、連続したｆｒａｍｅを全て検波し画像を出力する通常モードである。図５に示すタイムチャートは、電池レベルがＶａより小さい場合であり、動作制御部１０６は、映像検波部８及びＮＴＳＣデコーダ９に対しフレームに同期して１フレーム毎に電源供給をＯＮ／ＯＦＦする動作に切り替えた場合を示している。これにより映像検波部８及びＮＴＳＣデコーダ９はｆｒａｍｅを１つ飛ばしに検波してＮＴＳＣデコードし画面表示することから低消費電力化が実現される。
【００２８】
なお、図５に示すようにｆｒａｍｅ１，３，５，７・・・と奇数ｆｒａｍｅの時だけが動作状態となる場合、制御部１０の表示処理部では画像データが出力されない偶数ｆｒａｍｅ２，４，６，８・・・の期間に、直前の奇数ｆｒａｍｅの画像データを再度表示するように、偶数ｆｒａｍｅの画面を消さずに２ｆｒａｍｅ連続して１ｆｒａｍｅ分を画面表示する表示処理を行う。なお、この場合に音声は間欠動作をさせると音が途切れ途切れになるので間欠動作は行わず、ＴＶ受信部にしても映像電波と音声電波の両方を受信するので間欠動作は行わない。
【００２９】
また、図４及び図５の動作において、間欠的な動作の電源供給は各ｆｒａｍｅの開始時点よりやや前に行われているが、これはＴＶ受信機では電源の投入（ＯＮ）からＴＶ受信部、音声検波部、映像検波部、ＮＴＳＣデコーダ等の画像処理部の各部が安定するまでの過渡的な時間（安定時間）を要するためである。一般にこのような安定時間はＴＶ受信部安定時間、音声検波部安定時間、映像検波部安定時間及びＮＴＳＣデコーダ安定時間を考慮すると、電源投入から約０．７ｍｓｅｃ程度必要であり、この安定時間分だけ各ｆｒａｍｅの開始時点よりやや前に映像検波部８及びＮＴＳＣデコーダ９に電源を供給し、各ｆｒａｍｅの終了時点で電源供給を切断するように制御することにより、例えば奇数ｆｒａｍｅのみを確実に検波でき完全な画像データとして出力できる。この場合、映像検波部８及びＮＴＳＣデコーダ９のＯＮ時間は１７．４ｍｓｅｃとなり、映像検波部８及びＮＴＳＣデコーダ９のＯＦＦ時間は１６．０ｍｓｅｃとなる。
【００３０】
本実施の形態によれば、電池の残容量が十分残っている場合は、通常のＴＶ視聴を行うことができ、電池レベルが低下した際に、フレームレートを下げることにより電池寿命を延ばすことができる。この際、滑らかさに支障をきたすことも考えられるが、電池が無くなってしまっては携帯端末自体が使用できなくなってしまうことを考えると低消費電力化の手段としては有効である。また画面の滑らかさが損なわれたことによりユーザに充電操作を促す効果もある。さらに電池寿命を優先するならば、画面の滑らかさは損なわれるが、電池の残容量が十分残っている場合のｆｓを小さく設定しても良い。
（実施の形態２）
図６は本発明の他の実施の形態２のフローチャートを示す図である。本実施の形態２は実施の形態１と異なる点は電池レベルに対するしきい値を２つ設けた点である。比較部１０４が電池レベルと高低２つのしきい値Ｖａ、Ｖｂ（Ｖａ＞Ｖｂ）とを比較し、それぞれの大小の判定結果によりフレームレートを切り替える。
【００３１】
本実施の形態２の動作では、処理Ｂ１において電池レベルがしきい値Ｖａより大きければ処理Ｂ２へ移行し、フレームレートをｆｓとする。処理Ｂ１において電池レベルがしきい値Ｖａ以下の場合、処理Ｂ３へ移行する。電池レベルがしきい値Ｖｂより大きければ、フレームレートをｆｓ／ｎ（ｎ＞０の任意の値）とし、フレームレートを下げる。処理Ｂ３において電池レベルがしきい値Ｖｂ以下となった場合、処理Ｂ５に移行し、フレームレートをｆｓ／ｍ（ｍ＞ｎの任意の値）とし、フレームレートを更に低下させる。ここで実施の形態１と同様に、ｍ＝∞の場合は表示を行わないか又は表示更新を行わないで音声のみの聴取となる。このように制御することにより実施の形態１と比較すると、より細かな設定ができるから突然フレームレートが低下することを避けることができる。
【００３２】
しきい値Ｖａ以上を充分な電池レベルの範囲とし、ｆｓ＝６０ｆｐｓ（通常モード）、ｎ＝２（低電力モード１で３０ｆｐｓ）、ｍ＝４（低電力モード２で１５ｆｐｓ）とすると各モードのタイムチャートはそれぞれ図４、図５及び図７に示す関係となる。ここでｎ＝２の３０ｆｐｓでは２ｆｒａｍｅ中１ｆｒａｍｅの画像を表示するが、１５ｆｐｓでは４ｆｒａｍｅ中１ｆｒａｍｅの画像を表示する。
【００３３】
図８は、ＴＶ受信機の受信系の映像検波部及びＮＴＳＣデコーダの消費電流を示す図である。一般的なＴＶ受信機の消費電流は、ＴＶ受信部６が１００ｍＡ、音声検波部７が５０ｍＡ、映像検波部８が５０ｍＡ、ＮＴＳＣデコーダ９が５０ｍＡであり、間欠動作しないＴＶ受信部６と音声検波部７の合計消費電流は１５０ｍＡと一定である。
【００３４】
通常モード（６０ｆｐｓ）の場合は、ＴＶ視聴中に常時全てのブロックがＯＮしているのでＯＮ率は１００％であり、映像検波部８とＮＴＳＣデコーダ９だけの消費電流は１００ｍＡである。低電力モード（３０ｆｐｓ）の場合は、映像検波部８とＮＴＳＣデコーダ９が間欠動作し、図８に示すようにＯＮ率は５２％となり、これらのみの消費電流は５２ｍＡである。通常モード比４８ｍＡの消費電流の削減が可能となる。
【００３５】
低電力モード（１５ｆｐｓ）の場合も、映像検波部８とＮＴＳＣデコーダ９が間欠動作するので、図８に示すようにＯＮ率は２６％となり、これらのみの消費電流は２６ｍＡである。通常モード比７４ｍＡの電流削減が可能となる。
（実施の形態３）
図９は本発明の他の実施の形態３のフローチャートを示す図である。本実施の形態３では更にきめ細かなモード切換を可能とするために、電池レベルに対し３つ以上のしきい値を用意し、それぞれとの比較処理により異なるフレームレートへの切り替えを可能に制御する構成としたものである。
【００３６】
電池レベルをしきい値Ｖａ、Ｖｂ、Ｖｃ、Ｖｄ・・・（Ｖａ＞Ｖｂ＞Ｖｃ＞Ｖｄ＞・・・）と比較し(処理Ｃ１〜Ｃ７)、それぞれしきい値より大きい場合、フレームレートをｆｓ、ｆｓ／ｎ、ｆｓ／ｍ、ｆｓ／ｌ・・・（ｎ、ｍ、ｌ…＞０の任意の値）に設定する(処理Ｃ２〜Ｃ８)。より滑らかなフレームレートの切り替えを可能にする。
【００３７】
この場合、複数のフレームレートによる切り替えにおける切り替え数を増加するため、ｎ、ｍ、ｌ…は自然数に限らず、小数を伴う設定、つまりフレームの間引きは、連続する複数フレームに対し、１乃至複数のフレームを間引くように画像処理部のオン／オフ制御を行うように構成するとことが可能である。この場合、全体のフレームレートは平均としてのフレームレートとなる。
【００３８】
（実施の形態４）
図１０は本発明の他の実施の形態４の制御部の構成を示す図であり、図１１は実施の形態４のフローチャートを示す図である。前述の実施の形態１〜３と異なる点は、充電器１５の接続を検出し動作制御部１０６を制御する充電検出部１０７を設け、電池の充電状態か否かでフレームレートを制御した点にある。仮に電池レベルが所定のしきい値以下となっていても、充電状態であれば消費電力は外部から供給されるため、フレームレートを低下させる必要がない。携帯電話機と充電器１５との接続状態か否かを充電検出部１０７で監視し、充電検出部１０７が接続状態を検出すると電池レベルが大きく低下した場合にもフレームレートを下げないように制御する。
【００３９】
処理Ｄ１において充電状態が検出されれば処理Ｄ２に移行し、フレームレートを受信フレームレート又はこれに近いフレームレートのｆｓとする。この際のｆｓは任意の値であるが、ＴＶ視聴に支障をきたさない程度とするのが望ましい。処理Ｄ１において充電状態でないことが検出されれば処理Ｄ３へ移行し、電池レベルがしきい値Ｖａより大きければ処理Ｄ４へ移行し、フレームレートをｆｓとする。処理Ｄ３において電池レベルがしきい値Ｖａ以下の場合、フレームレートをｆｓ／ｎ（ｎ＞０の任意の値）とし、フレームレートを低下させる。本実施の形態４の処理Ｄ１は複数のしきい値を設定する実施の形態２、３、４に適用することが可能である。
【００４０】
（他の実施の形態）
以上の実施の形態において、電池レベルに応じたフレームレートの制御機能の有効／無効をメニュー画面等において携帯電話機のキー１６等から入力し、当該制御機能を使用するか否かを設定可能とすることができる。また、携帯電話機に実施の形態１〜４の複数の制御機能を実装し、キー１６により何れの制御機能を動作させるかを選択可能に構成することが可能である。ユーザー設定はメモリ１３等に記憶し電源投入後に当該設定機能を起動するように構成することができる。また、しきい値の数、しきい値、ｆｓ、ｎ、ｍ、ｌについても同様にユーザー設定として設定可能とすることができる。また本発明はアナログＴＶ信号の受信にかかわらずデジタルＴＶ信号の受信においても同様に適用可能であることは明らかである。
【００４１】
また、以上の実施の形態では映像検波部及びＮＴＳＣデコーダの動作のオン／オフ制御を行うように構成した例を説明したが、オン／オフ制御対象はかなりの電力を消費するベースバンド信号等を扱う画像処理部を対象とすることで実現可能であり、映像検波部又はＮＴＳＣデコーダの動作のオン／オフ制御を行うように構成することができることは明らかである。
【図面の簡単な説明】
【００４２】
【図１】本発明のＴＶ機能付き携帯電話装置の実施の形態１の構成を示す図である。
【図２】実施の形態１の制御部１０の構成を示す図である。
【図３】実施の形態１の間欠動作又は連続動作の処理をフローチャートで示す図である。
【図４】映像検波部８、ＮＴＳＣデコーダ９の連続動作のタイムチャートを示す図である。
【図５】映像検波部８、ＮＴＳＣデコーダ９の間欠動作（ｎ＝２）のタイムチャートを示す図である。
【図６】本発明の他の実施の形態２のフローチャートを示す図である。
【図７】映像検波部８、ＮＴＳＣデコーダ９の間欠動作（ｍ＝４）のタイムチャートを示す図である。
【図８】ＴＶ受信機の受信系の各ブロックの消費電流を示す図である。
【図９】本発明の他の実施の形態３のフローチャートを示す図である。
【図１０】本発明の他の実施の形態４の制御部の構成を示す図である。
【図１１】実施の形態４のフローチャートを示す図である。
【符号の説明】
【００４３】
１    アンテナ
２    ダイプレクサ
３    ＰＤＣアンテナスイッチ
４    ＰＤＣ受信部
５    ＰＤＣ送信部  ６    ＴＶ受信部
７    音声検波部
８    映像検波部
９    ＮＴＳＣデコーダ
１０  制御部
１１  ＬＣＤ（表示部）
１００  フレームレート制御部
１０１  電池レベル検出部
１０２  読出部
１０３  しきい値設定部
１０４  比較部
１０５  安定化電源部
１０６  動作制御部
１０６  充電検出部
【図１】
2005223454.tif 000003
【図２】
2005223454.tif 000004
【図３】
2005223454.tif 000005
【図４】
2005223454.tif 000006
【図５】
2005223454.tif 000007
【図６】
2005223454.tif 000008
【図７】
2005223454.tif 000009
【図８】
2005223454.tif 000010
【図９】
2005223454.tif 000011
【図１０】
2005223454.tif 000012
【図１１】
2005223454.tif 000013